(57)【要約】１つまたはそれ以上の物質または物品を放出するための出口を有する放出手段と、前記出口での前記物質または物品の通過を制御する放出制御手段と、前記放出手段またはそれによって搬送される物質等を特定する第１特定データを記録、送信、伝達または関連付けるように作動可能な第１特定手段と、前記第１特定データと関連実在物の第２特定データとの間に、対応する所定の関係が確立されたときに、前記放出制御手段の所定状態を確率するように作動可能な許可制御手段と、を備えた放出装置が開示されている。
2006524069.tif 000002
【特許請求の範囲】
【請求項１】
流体物質を放出するための出口を有する放出手段と、
前記出口を介しての前記流体物質の通過を制御するために前記放出手段に搭載された放出制御手段と、
前記放出手段またはこれによって搬送される前記物質または物品を特定するために、第１特定データを記録、送信、伝達または関連付けるように作動可能な第１特定手段と、
前記第１特定データと、関連する実在物の第２特定データとの間で、対応する所定の関係が確立されたときに、前記放出制御手段の所定状態を確立するために前記放出制御手段と通信するように作動可能な許可制御手段と、を備えた放出装置。
【請求項２】
前記関連実在物は、放出受容対象、医療専従者または臨床医であることを特徴とする請求項１に記載の放出装置。
【請求項３】
前記放出受容対象は、医学的患者、被験者、および／または、治療もしくは処理の候補者であることを特徴とする請求項２に記載の放出装置。
【請求項４】
前記放出受容対象は、哺乳類であることを特徴とする請求項２に記載の放出装置。
【請求項５】
前記前記放出受容対象は、人間であることを特徴とする請求項４に記載の放出装置。
【請求項６】
前記流体物質は、寿命を延ばす、健康を増進する、病気、状態および滋養を治療および／または処置する、身体機能を監視および／または指摘する、あるいは、これらの組み合わせたものである利益的特性を有することを特徴とする請求項１に記載の放出装置。
【請求項７】
前記流体物質は、点滴治療、インプラント、幹細胞治療、腫瘍治療、輸血および／または臓器移植に有効であることを特徴とする請求項６に記載の放出装置。
【請求項８】
前記放出制御手段は、前記出口への出入りを制御する出入り手段を含むことを特徴とする請求項１に記載の放出装置。
【請求項９】
前記出入り手段は、制御バルブ部材、制御出口封鎖部材またはその両方を含むことを特徴とする請求項８に記載の放出装置。
【請求項１０】
前記バルブ部材または出口封鎖部材は通常時に閉鎖状態にあることを特徴とする請求項９に記載の放出装置。
【請求項１１】
前記バルブ部材は可変径孔バルブ部材、比例バルブ部材またはこれらの組み合わせであることを特徴とする請求項１０に記載の放出装置。
【請求項１２】
前記バルブ部材はパルス幅変調オンオフバルブであることを特徴とする請求項１１に記載の放出装置。
【請求項１３】
前記放出手段は、胴部内に配置されたプランジャ部を含み、前記放出制御手段は前記プランジャ部の位置を固定する固定手段を含むことを特徴とする請求項９に記載の放出装置。
【請求項１４】
前記放出制御手段は、前記胴部またはその下流側に配置されたバルブ手段を含むことを特徴とする請求項１３に記載の放出装置。
【請求項１５】
前記放出制御手段は、前記胴部またはその下流側に配置された封鎖部材を含むことを特徴とする請求項１３に記載の放出装置。
【請求項１６】
前記第２特定データは前記受容対象を特定することを特徴とする請求項１１に記載の放出装置。
【請求項１７】
前記第２特定データは、前記受容対象によって外部的または内部的に搬送される物品に埋め込まれるか、前記物品によって伝達され又は放射されることを特徴とする請求項１６に記載の放出装置。
【請求項１８】
前記物品は、前記受容対象の足、腕または首に着けられるバンドまたはリングを含むことを特徴とする請求項１７に記載の放出装置。
【請求項１９】
前記物品は、前記第２特定データを伝達する高周波ＩＤタグまたはチップであることを特徴とする請求項１８に記載の放出装置。
【請求項２０】
１つまたはそれ以上の物質あるいは１つまたはそれ以上の物品を放出するための出口を有する放出手段と、
前記出口を介しての前記物質または前記物品の通過を制御する放出制御手段と、
前記放出手段またはこれによって搬送される前記物質もしくは前記前記物品を特定するために、第１特定データを記録、送信、伝達または関連付けるように作動可能な第１特定手段と、
前記第１特定データと、関連する実在物の第２特定データとの間で、対応する所定の関係が確立されたときに、前記放出制御手段の所定状態を確立するように作動可能な許可制御手段と、を備えた放出装置。
【請求項２１】
前記関連実在物は、放出受容対象、医療専従者または臨床医であることを特徴とする請求項２０に記載の放出装置。
【請求項２２】
前記放出受容対象は、医学的患者、被験者、および／または、治療もしくは処置の候補者であることを特徴とする請求項２１に記載の放出装置。
【請求項２３】
前記放出受容対象は、哺乳類であることを特徴とする請求項２１に記載の放出装置。
【請求項２４】
前記放出受容対象は、人間であることを特徴とする請求項２３に記載の放出装置。
【請求項２５】
前記物質または前記物品は、寿命を延ばす、健康を増進する、病気、状態および滋養を治療および／または処置する、身体機能を監視および／または指摘する、あるいは、これらの組み合わせたものである利益的特性を有することを特徴とする請求項２０に記載の放出装置。
【請求項２６】
前記物質または前記物品は、点滴治療、インプラント、幹細胞治療、腫瘍治療、輸血および／または臓器移植に有効であることを特徴とする請求項２５に記載の放出装置。
【請求項２７】
前記放出手段は、注射器、点滴瓶、粉末および／または霧状流体および／または気体の吸入ディスペンサ、インプラントデリバリーディスペンサ、ベンチレータ、シリンジポンプ、挿管チューブ、胃腸供給チューブ、あるいはこれらの複数および／または組み合わせであることを特徴とする請求項２５に記載の放出装置。
【請求項２８】
前記放出制御手段は、前記出口での出入りを制御する出入り手段を含むことを特徴とする請求項２０に記載の放出装置。
【請求項２９】
前記出入り手段は、制御バルブ部材、制御出口封鎖部材、またはその両方であることを特徴とする請求項２８に記載の放出装置。
【請求項３０】
前記バルブ部材または前記出口封鎖部材は、通常は閉鎖状態にあることを特徴とする請求項２９に記載の放出装置。
【請求項３１】
前記バルブ部材は、可変径孔バルブ部材、比例バルブ部材またはこれらの組み合わせであることを特徴とする請求項３０に記載の放出装置。
【請求項３２】
前記バルブ部材は、パルス幅変調オンオフバルブであることを特徴とする請求項２９に記載の放出装置。
【請求項３３】
前記封鎖部材は、固定可能なキャップ部材であることを特徴とする請求項２９に記載の放出装置。
【請求項３４】
前記放出手段は胴部内に配置されたプランジャ部を有する注射器を含み、前記放出制御手段は前記プランジャ部の位置を固定する固定手段を含むことを特徴とする請求項２９に記載の放出装置。
【請求項３５】
前記放出制御手段は、前記胴部またはその下流側に配置されたバルブ手段を含むことを特徴とする請求項３４に記載の放出装置。
【請求項３６】
前記放出制御手段は、前記胴部またはその下流側に配置された封鎖部材を含むことを特徴とする請求項３５に記載の放出装置。
【請求項３７】
前記放出手段は、放出部に接続された通路を含み、前記バルブ手段または前記封鎖部材は前記放出部に配置されていることを特徴とする請求項２９に記載の放出装置。
【請求項３８】
前記第２特定データは前記受容対象を特定することを特徴とする請求項２２に記載の放出装置。
【請求項３９】
前記第２特定データは、前記受容対象によって外部的または内部的に搬送される物品に埋め込まれ、あるいは、前記物品によって伝達または放射されることを特徴とする請求項３８に記載の放出装置。
【請求項４０】
前記物品は、前記受容対象の足、腕または首に着けられるバンドまたはリングを含むことを特徴とする請求項３９に記載の放出装置。
【請求項４１】
前記物品は、インプラント可能なＩＤチップであることを特徴とする請求項４０に記載の放出装置。
【請求項４２】
前記許可制御手段は、前記第２特定データに関連するキー部を含むことを特徴とする請求項２０に記載の放出装置。
【請求項４３】
前記キー部は、前記受容対象によって外部的または内部的に搬送される物品に配置されていることを特徴とする請求項４２に記載の放出装置。
【請求項４４】
前記キー部は、所定状態を確立するために相補的なキー受け入れ部に係合するように作動可能であることを特徴とする請求項４２に記載の放出装置。
【請求項４５】
前記キー受け入れ部は、前記放出手段に配置されていることを特徴とする請求項４４に記載の放出装置。
【請求項４６】
前記放出手段は、注射器、点滴瓶、粉末および／または霧状流体および／または気体の吸入ディスペンサ、インプラントデリバリーディスペンサ、ベンチレータ、シリンジポンプ、挿管チューブ、胃腸供給チューブ、あるいは、これらの複数および／または組み合わせを含むことを特徴とする請求項４５に記載の放出装置。
【請求項４７】
前記物品はリストバンドであり、前記放出手段は注射器であることを特徴とする請求項４６に記載の放出装置。
【請求項４８】
前記キー受け入れ部は、キー受け入れ通路を含むことを特徴とする請求項４６に記載の放出装置。
【請求項４９】
前記許可制御手段は、前記キー受け入れ部に対して前記キー部を露出するように作動可能であることを特徴とする請求項４７に記載の放出装置。
【請求項５０】
前記キー部は、潜伏位置と露出位置との間で移動可能であることを特徴とする請求項４９に記載の放出装置。
【請求項５１】
前記キー部は前記物品に固定されており、前記許可制御手段はキー潜伏状態とキー露出状態との間で作動可能なキー被覆部材をさらに備えることを特徴とする請求項４９に記載の放出装置。
【請求項５２】
前記第１特定手段は、生物測定センサ、光学特性リーダ、バーコードリーダ、磁気片リーダ、またはこれらの組み合わせを含むことを特徴とする請求項２０に記載の放出装置。
【請求項５３】
前記第１特定手段は、可視的または不可視的な周波数スペクトルで信号を送信および／または受信する信号送信機および／または信号受信機を含むことを特徴とする請求項２０に記載の放出装置。
【請求項５４】
物質収容部と物質放出出口通路部を有する物質放出手段と、
前記放出出口通路の出入りを制御するバルブ手段と、
前記バルブ手段を特定するバルブ特定データを記録、送信、伝達または関連付けるように作動可能な第１特定手段と、
前記バルブ特定データと前記物質放出手段の近傍の関連する物品の特定データとの間で、対応する所定の関係が確立されたときに、前記バルブ手段の所定状態を確率するように作動可能なバルブ制御手段と、を備えた物質放出装置。
【請求項５５】
前記物質放出手段は、患者の治療において物質を放出するように構成されていることを特徴とする請求項５４に記載の物質放出装置。
【請求項５６】
前記物質は流体であることを特徴とする請求項５５に記載の物質放出装置。
【請求項５７】
前記物質収容部は、注射器、バイアル、カテーテルおよび／または点滴袋を含むことを特徴とする請求項５６に記載の物質放出装置。
【請求項５８】
前記放出出口通路部は、プランジャ収容室部の下流側にあり、前記バルブ手段は前記放出出口通路部に配置されていることを特徴とする請求項５７に記載の物質放出装置。
【請求項５９】
前記放出出口通路部は、プランジャ収容室部の下流側にあり、前記バルブ手段は前記放出出口通路部に対して着脱可能なバルブハウジングをさらに有することを特徴とする請求項５７に記載の物質放出装置。
【請求項６０】
前記関連物品は、流体物質を受け取るために患者によって装着可能であることを特徴とする請求項５７に記載の物質放出装置。
【請求項６１】
前記関連物品は、患者に着けられる特定タグ、または、患者によって着けられる物品であることを特徴とする請求項６０に記載の物質放出装置。
【請求項６２】
前記関連物品を特定するための特定データを記録、送信、伝達または関連付けるように作動可能な第２特定手段をさらに備えることを特徴とする請求項５４に記載の物質放出装置。
【請求項６３】
前記第１または第２特定手段、あるいはその両方は、前記バルブ特定データまたは前記関連物品特定データを電子的、図画的、機械的または原子的に保持するように構成されていることを特徴とする請求項６２に記載の物質放出装置。
【請求項６４】
前記第１または第２特定手段、あるいはその両方は、前記バルブ特定データまたは前記関連物品特定データを搬送波で伝達するように作動可能であることを特徴とする請求項６３に記載の物質放出装置。
【請求項６５】
前記搬送波は、高周波数波、マイクロ波、あるいは、他の周波数または周波数帯の波または信号であることを特徴とする請求項６４に記載の物質放出装置。
【請求項６６】
前記バルブ特定データまたは前記関連物品特定データは、周波数変調、振幅変調、波重畳またはこれらの組み合わせによって前記搬送波上に存在することを特徴とする請求項６５に記載の物質放出装置。
【請求項６７】
前記バルブ特定データと前記関連物品特定データとを比較する比較手段をさらに備えることを特徴とする請求項６６に記載の物質放出装置。
【請求項６８】
前記比較手段は、前記バルブ、前記関連物品またはその両方から高周波ＩＤ信号を受信して解読するように作動可能であることを特徴とする請求項６７に記載の物質放出装置。
【請求項６９】
前記物質収容部は注射器を含み、前記比較手段は前記注射器と一体に構成されていることを特徴とする請求項６７に記載の物質放出装置。
【請求項７０】
前記注射器は、室部の下流側に前記室部から取り外し可能なバルブ部を有し、前記比較手段は前記バルブ部に配置されていることを特徴とする請求項６８に記載の物質放出装置。
【請求項７１】
前記比較手段は、前記バルブおよび前記関連物品の両方からの信号受信範囲内で作動可能な中間コントローラモジュールにあることを特徴とする請求項６８に記載の物質放出装置。
【請求項７２】
前記バルブ手段は、電源部によって給電されるバルブ要素を含むことを特徴とする請求項５４に記載の物質放出装置。
【請求項７３】
前記電源部は、前記電源部内にある電源、外部電源への伝導パス、外部から適用される放射に応答する誘導発電モジュール、またはこれらの組み合わせを含むことを特徴とする請求項７２に記載の物質放出装置。
【請求項７４】
前記放射は、マイクロ波または高周波の周波数帯のものであることを特徴とする請求項７３に記載の物質放出装置。
【請求項７５】
前記比較手段は、前記バルブ特定データと前記関連物品データとが一致したときに前記放出出口通路部を開放するように作動可能であることを特徴とする請求項７４に記載の物質放出装置。
【請求項７６】
前記比較手段は、前記バルブ特定データと前記関連物品データとが不一致のときに、前記放出出口通路部の出入りを封鎖するために前記バルブ手段を閉じるように作動可能であることを特徴とする請求項７５に記載の物質放出装置。
【請求項７７】
前記物質放出手段は注射器を含み、前記電源部は前記注射器と一体に構成されていることを特徴とする請求項７５に記載の物質放出装置。
【請求項７８】
前記第１および第２特定手段は、前記バルブ手段および前記関連物品にそれぞれ配置された相補的な第１および第２キー構造を含むことを特徴とする請求項６３に記載の物質放出装置。
【請求項７９】
前記第１キー構造は前記物質放出手段に配置され、前記第２キー構造は前記関連物品に配置されており、これにより前記第１および第２キー構造が所定の関係を確立するために互いに相補的に係合するように前記物質放出手段と前記関連物品とが配置され得ることを特徴とする請求項７８に記載の物質放出装置。
【発明の詳細な説明】
【技術分野】
【０００１】
[係属中の出願の参照]
下記各出願の主題全体は、参照によって組み込まれている。本出願人は、下記出願について米国特許法第１１９条（ｅ）項の優先権の利益を主張する。
１）発明の名称「放出装置」で２００３年４月２３日に提出された米国出願第６０／４６４，６５９号。
２）発明の名称「医療物質取扱装置」で２００３年１１月２１日に提出された米国出願第６０／５２３，７０１号。
３）発明の名称「医学的治療管理装置」で２００３年１１月２１日に提出された米国出願第６０／５２３，７０２号。
【０００２】
本発明は、例えば患者に薬物や他の物質を投与する放出装置からの物質の制御に関するものである。
【背景技術】
【０００３】
近年、患者が治療される方法において大きな変化が生じてきている。多くの社会医療保障制度が、生産性を改良するために詳細に調査されている。このような変化は、妥当な費用でレベルの高い治療を提供するために、患者の医療記録を追跡することにおいて生じている。しかし、これらの変化は、問題なく発生しているわけではない。近年の心肺移植手術は、ドナーと移植を受ける患者との血液型の不一致という比較的小さな見落としのために非常に悪くなっている。この事実は、間違った薬物を投与される非常に多くの患者にとっても重要であり、このことは、適当で正しい薬物および／または医学的処置を受けるように患者を監視して合致させることの改善の必要性を示すものである。
【発明の開示】
【発明が解決しようとする課題】
【０００４】
そこで、本発明は、新規な物質放出装置を提供することを目的とする。
【課題を解決するための手段】
【０００５】
態様の１つとして、本発明は、
１つまたはそれ以上の物質または物品を放出する出口を有する放出手段と、
前記出口での前記物質または物品の通過を制御する放出制御手段と、
前記放出手段またはそれによって搬送される前記物質または物品を特定するために第１特定データを記録、送信、伝達または関連付けるように作動可能な第１特定手段と、
前記第１特定データと、関連する実在物(entity)の第２特定データとの間において、対応する所定の関係が確立されたときに、前記放出制御手段の所定状態を確立するように作動可能な許可制御手段と、を備える放出装置を提供する。
【０００６】
実施形態において、前記関連実在物は、放出受容対象、医療専従者または臨床医である。
【０００７】
別の態様において、前記放出受容対象は、医学的患者、被験者、および／または、治療や処置の候補者である。例えば、前記放出受容対象は、人間を含む哺乳類であってもよい。
【０００８】
１つの実施形態において、前記物質または物品は、寿命を延ばし、健康を増進し、病気、状態または滋養を治療し、身体機能を監視および／または指摘し、あるいは、これらの組合せにおいて、利益的特性を有する。
【０００９】
１つの実施形態において、前記物質および／または物品は、点滴治療、インプラント、幹細胞治療、腫瘍治療、輸血および／または臓器移植に有効である。
【００１０】
好ましい実施形態において、前記放出手段は、注射器、点滴瓶、粉末および／または霧状流体および／または気体の吸入ディスペンサ、ベンチレータ、シリンジポンプ、挿管チューブ、胃腸内給送チューブ、これらの複数物および／またはこれらの組合せを含む。
【００１１】
特定の情況下では、前記放出制御手段は前記出口での出入り(access)を制御する出入り手段を含むのが好ましい。この場合、前記出入り手段は、制御されたバルブ部材、制御された出口封鎖部材、またはこれら両方を含んでもよい。前記バルブ部材または出口封鎖部材は、通常時に、閉鎖状態であってもよいし、開放状態であってもよい。
【００１２】
１つの実施形態において、前記バルブ部材は可変径孔を有するバルブ部材、比例バルブ部材(proportional valve member)、またはこれらの組合せである。
【００１３】
１つの実施形態において、前記バルブ部材はパルス幅変調オンオフバルブである。
【００１４】
別の形態では、前記封鎖部材は固定可能なキャップ部材である。
【００１５】
１つの実施形態において、前記放出手段は、胴部内に配置されたプランジャ部を有する注射器を含む。この場合、前記放出制御手段は、前記プランジャ部の位置を固定する固定手段を含む。
【００１６】
前記放出制御手段は、前記胴部またはその下流側に配置されたバルブ手段を含んでもよい。
【００１７】
１つの実施形態において、前記放出制御手段は、前記胴部またはその下流側に配置された封鎖部材を含む。
【００１８】
１つの実施形態において、前記放出手段は、放出部に接続される通路と、前記放出部またはその近傍に配置された前記バルブ手段および／または前記封鎖手段とを含む。
【００１９】
好ましくは、前記第２特定データは、前記受容対象を特定する。例えば、前記第２特定データは、前記受容対象よって内部的または外部的に搬送される物品に埋め込まれ(embedded)てもよいし、または前記物品によって伝達または放射されてもよい。
【００２０】
必要であれば、前記物品は、前記受容対象の足、腕または首に着けられるバンドまたはリングを含んでもよいし、インプラント可能なＩＤチップを含んでもよい。
【００２１】
１つの場合において、前記許可制御手段は、前記第２特定データに関連付けられたキー部(key portion)を含んでもよい。この場合、前記キー部は前記受容対象によって外部的または内部的に搬送される物品に配置されてもよい。
【００２２】
前記キー部は、前記所定状態を確立するために、相補的なキー受け入れ部に係合するように作動可能であってもよい。この場合、前記キー受け入れ部は、前記放出手段に配置されてもよいし、他の場所に配置されてもよい。１つの例では、前記物品はリストバンドであり、前記放出手段は注射器である。
【００２３】
１つの実施形態において、前記キー受け入れ部はキー受け入れ通路を含む。
【００２４】
１つの実施形態においては、前記許可制御手段は、前記キー部を前記キー受け入れ部に対して露出するように作動可能である。この場合、前記キー部は、潜伏位置と露出位置との間で移動可能であってもよい。あるいは、前記キー部は、前記物品に対して固定されていてもよく、前記許可制御手段は、キー潜伏状態とキー露出状態との間で作動可能なキー被覆部材(key shroud)をさらに有してもよい。
【００２５】
１つの実施形態において、前記第１特定手段は、生物測定センサ、光学特性リーダ、バーコードリーダ、磁気片リーダ、またはこれらの組合せを含む。
【００２６】
１つの実施形態において、前記第１特定手段は、可視的または不可視的な周波数範囲の信号を送信および／または受信する信号送信器および／または信号受信器を含む。
【００２７】
別の態様において、本発明は、
物質収容部と物質放出出口通路部とを有する物質放出手段と、
前記放出出口通路での出入りを制御するバルブ手段と、
前記バルブ手段を特定するためにバルブ特定データを記録、送信、伝達または関連付けるように作動可能な第１特定手段と、
前記バルブ特定データと前記物質放出手段の近傍の関連する物品の特定データとの間において、対応する所定の関係が確立されたときに、前記バルブ手段の所定状態を確立するように作動可能なバルブ制御手段と、を備えた物質放出装置を提供する。
【００２８】
１つの実施形態において、前記物質放出手段は、患者の治療において物質を放出するために配置されており、前記物質は流体である。
【００２９】
１つの実施形態において、前記物質収容部は、注射器、バイアル、カテーテルおよび／または点滴袋を含む。この注射器の場合、前記放出出口通路部はプランジャ収容室部の下流側にあり、前記バルブ手段は前記放出出口通路部に配置されている。
【００３０】
１つの実施形態において、前記放出出口通路部はプランジャ収容室部の下流側にあり、前記バルブ手段は前記放出出口通路部に対して着脱可能なバルブハウジングをさらに有する。
【００３１】
好ましくは、前記関連物品は、前記流体物質を受け取るように患者が装着可能である。この場合、前記関連物質は、患者が装着可能な特定タグまたは物品であってもよい。
【００３２】
好ましくは、前記装置は、前記関連物品を特定するために、特定データを記録、送信、伝達または関連付けるように作動可能な第２特定手段をさらに備える。前記第１または第２特定手段、またはその両方は、前記バルブ特定データまたは前記関連物品特定データを電子的、図画的、機械的または原子的な形態で保持するように構成される。前記第１または第２特定手段、またはその両方は、前記バルブ特定データまたは前記関連物品特定データを搬送波で伝達するように作動可能である。前記搬送波は、高（または無線）周波数波、マイクロ波、あるいは、他の周波数または周波数帯の波または信号を含んでもよい。前記バルブ特定データまたは前記関連物品特定データは、例えば、周波数変調、振幅変調、波重畳またはこれらの組合せによって前記搬送波に内在してもよい。
【００３３】
特定の情況下では、前記装置は、前記バルブ特定データと前記関連物品特定データとを比較する比較手段をさらに備えるのが好ましい。前記比較手段は、前記バルブ、前記関連物品またはその両方から高周波ＩＤ信号を受信および解読するように作動可能である。例えば、前記収容部が注射器を含む場合、前記比較手段は前記注射器と一体に形成されてもよい。あるいは、前記注射器には、バルブ部が室部の下流側であって分離可能に設けられてもよい。この場合、前記比較手段は、前記バルブ部に配置されてもよい。
【００３４】
１つの実施形態において、前記比較手段は、前記バルブおよび前記関連物品の両方の信号受信範囲内で作動可能な中間コントローラモジュールにあってもよい。
【００３５】
１つの実施形態において、前記バルブ手段は、電源部から給電されるバルブ部材を含む。前記電源部は、前記電源部内にある電源、外部電源への伝導パス、外部的に適用される放射物に応答する誘電発電モジュール、または、これらの組合せを含む。前記放射物は、マイクロ波または高周波の周波数帯のものであってもよい。
【００３６】
１つの実施形態において、前記比較手段は、前記バルブ特定データと前記関連物品データとが一致したときに、前記放出出口通路を開放するように作動可能である。この場合、前記比較手段は、前記バルブ特定データと前記関連物品データとが不一致であるとき、前記放出出口通路部を閉じるように作動可能である。同様に、前記物質放出手段は注射器を含み、前記電源供給部はそれと一体に構成されている。
【００３７】
別の実施形態において、前記第１および第２特定手段は、前記バルブ手段および前記関連物品に、またはそれらの近傍に、互いに相補的な第１および第２キー構造(key formations)をそれぞれ含む。前記第１キー構造は前記物質放出手段に配置され、前記第２キー構造は前記関連物品に配置され、前記物質放出手段と前記関連物品とが、所定の関係を確立するように互いに相補的係合がなされるよう配置されている。
【００３８】
さらに別の態様においては、流体物質を放出するための出口を有する放出手段と、
前記出口を介しての前記流体物質の通過を制御するために搭載された搭載放出制御手段と、
前記放出手段またはそれによって搬送される前記物質もしくは物品を特定するために第１特定データを記録、送信、伝達または関連付けるように作動可能な第１特定手段と、
前記第１特定データと、関連実在物の第２特定データとの間で、対応する所定の関係が確立されたときに、前記放出制御手段の所定状態を確立するために前記搭載放出制御手段と通信するように作動可能である許可制御手段と、を備えた放出装置が提供される。
【００３９】
好ましくは、前記関連実在物は、放出受容対象、医療専従者または臨床医である。前記放出受容対象は、医学的患者、被験者、および／または、治療や処置の候補者であり、前記放出受容対象は哺乳類である。
【００４０】
特定の情況下では、前記搭載放出制御手段は、前記出口での出入りを制御する搭載出入り手段を含むのが好ましい。前記搭載出入り手段は、搭載制御バルブ部材、搭載制御出口封鎖部材、またはこれら両方を含む。好ましくは、前記搭載バルブ部材または搭載出口封鎖部材は、通常時に閉鎖状態であり、可変径孔バルブ部材、比例バルブ部材またはこれらの組合せであってもよい。１つの例として、前記搭載バルブ部材は、パルス幅変調オンオフバルブである。
【００４１】
１つの実施形態において、前記放出手段は、胴部内に配置されたプランジャ部を含み、前記搭載放出制御手段は、前記プランジャ部の位置を固定するための固定手段を含む。前記搭載放出制御手段は、前記胴部またはその下流側に配置された搭載バルブ手段、または、前記胴部またはその下流側に配置された搭載封鎖部材を含んでもよい。
【００４２】
１つの実施形態において、前記第２特定データは、前記受容対象を特定し、前記受容対象によって内部的または外部的に運ばれる物品に埋め込まれるか、前記物品によって伝達または放射される。前記物品は、前記受容対象の足、腕または首に着けられるバンドまたはリングを含んでもよく、前記第２特定データを格納する高周波ＩＤタグまたはチップを含んでもよい。
【００４３】
本発明の幾つかの好適な実施形態が、添付図面を参照して単なる例示の方法でさらに説明されるであろう。
【発明を実施するための最良の形態】
【００４４】
図面を参照すると、物資収容部１４および物質放出出口通路部１６を有する物質放出器１２を備えた物質放出装置１０が提供されている。バルブ手段１８は、収容部１４の下流側に設けられ、放出出口通路部１６を通る物質の流れを制御する。物質放出器１２は、注射器の形状をなし、患者の医学的治療における通常の物質を放出するのに用いられる。この場合、前記放出出口通路部は、物質収容部１４の下流側であって針２２の上流側に延びる出口通路２０を含み、針２２を出口通路２０に連結するためのカップリング２２ａが設けられている。カップリングは、例えば、ＬＵＥＲ取付部品(LUER fitting)であってもよい。
【００４５】
また、装置１０は、後述する理由のために患者に装着可能なリストバンド２４を含む。
【００４６】
バルブ手段１８は、図２に示されるバルブコントローラ３０の形態をなす搭載放出制御手段によって制御される。この場合、バルブ手段１８は、マイクロバルブ３１を含む。バルブ３１は、バルブコントローラ３０の制御下での放出出口通路２０の開閉を意味する開放状態と閉鎖状態とを有する。バルブコントローラ３０は、バルブハウジング１８ａ内に配置された高周波ＩＤタグまたはチップを含む。高周波ＩＤチップは、例えば、参照によって全体の主題がここに組み込まれている「マイクロＩＤ（登録商標）１３．５６ＭＨｚ高周波装置デザインガイド」に記載されるようなシリアルナンバー ４５Ｘのマイクロテクノロジー社から入手可能な受動タイプのものであってもよい。
【００４７】
バルブコントローラ３０は、伝導パス３２ａを介してマイクロバルブ３１に状態信号の変更を伝達する駆動モジュール３２を含む。駆動モジュールは、伝導パス３４ａを介して比較モジュール３４に応答する。比較モジュール３４は、２つの特性(identities)、すなわちバルブおよび／または注射器内の物質の第１特性と患者の第２特性との間での「一致」が確立する。後述するように、バルブコントローラ３０は第１特性を決定し、リストバンド２４は第２特性を管理する。後述する場合において、リストバンド２４は（図１に示すような）高周波ＩＤタグまたはチップ３６を有する。タグまたはチップ３６は、バルブコントローラ３０のとの間で送信可能な範囲内にあるときに、バルブコントローラ３０に送信される第２特性担持信号を形成して、高周波搬送波で第２特性を伝達する。
【００４８】
比較モジュール３４は、伝導パス３８ａを介して高周波送受信器３８と通信して、リストバンド２４からの第２特性担持信号を受信する。また、比較モジュール３４は、伝導パス４０ａを介してメモリモジュール４０と通信して、そこに格納された第１特性を読み出す。
【００４９】
比較モジュール３４は、バルブ特定データ（すなわち注射器に収容された物質）とリストバンド２４（すなわち物質を受容することを特定された患者）とが一致したとき、マイクロバルブ３１および放出出口通路部を開放するように作動可能である。この場合、比較モジュール３４は、第１および第２特定データが不一致のときに、マイクロバルブ３１を閉じて放出出口通路部１６の出入りを封鎖する信号を駆動モジュール３２に送信する。あるいは、比較モジュール３４は、マイクロバルブ３１を閉鎖状態に維持しており、前記一致が確認されたときだけマイクロバルブ３１を開いてその後は開放状態のままにするようにしてもよい。この構成は、例えば１回使用専用の放出装置に特に適している。
【００５０】
この場合、バルブハウジング１８ａは、注射器１２と一体に形成される。しかし、バルブハウジング１８は、代替として、放出出口通路部１６または注射器１２またはその両方に対して着脱可能であってもよい。例えば、バルブは注射針カップリングの針側に配置されてもよい。また、例えば、バルブは、多くの普及型注射器に用いられる雌型留め部材ＬＵＥＲ取付部品内またはその近傍に配置されてもよい。さらに、バルブは、従来型注射器に取り付けられて永久的、半永久的または一時的措置でそれをシールする中間ユニットであってもよい。
【００５１】
リストバンド２４は、注射器１２に収容された流体物質を受け入れることを特定された患者によって着脱可能な他の適当な関連物品であってもよい。この場合、前記関連物品は、患者に取付可能なＩＤタグまたは患者によって装着可能な物品であってもよい。
【００５２】
このように、バルブコントローラ３０およびリストバンド２４は、注射器１２（および／またはその内容物）とリストバンド（および／またはそれを着ける患者）を特定するために、特定データを記録、送信、伝達または関連付けるように作動可能な第１および第２特定手段を構成する。この場合、第１または第２特定手段あるいはその両方は、それぞれの特定データを電子的、図画的、機械的または原子的に保持するように構成される。この場合、第１または第２特定手段あるいはその両方は、第１特定データまたは第２特定データを搬送波で送信するように作動可能である。この搬送波は、高周波、マイクロ波または他の周波数もしくは周波数帯の波や信号を含んでもよい。第１特定データまたは第２特定データは、例えば、周波数変調、振幅変調、波重畳またはこれらの組み合わせがなされた搬送波に存在してもよい。
【００５３】
バルブコンコントローラ３０は、電源部４２によって給電される。この場合、給電部４２は、電源部内にある電源を含む。前記電源は、例えば、電池、光照射で作動するソーラ発電機のような内部発電モジュール、マイクロ波または高周波の放射によって作動する誘導発電機などであってもよい。電源部は、外部電源への伝導パスを含んでもよい。
【００５４】
必要であれば、コントローラ３０は、リストバンド２４内にあって、上述したような無線方式で、または、リストバンドと注射器１４との間の電気的または磁気的な連絡方式によって、駆動モジュールから状態信号の変更を送信してもよい。さらに、コントローラ機能は、サーバークライアント、またはピアトゥピア、有線、無線などで注射器に接続されるネットワークに配置されたコントローラによって提供されてもよい。
【００５５】
別の実施形態が図３に示される。この場合、比較手段は、バルブ５４およびバルブアクチュエータ５６を有する注射器５２とリストバンド５８との両方の信号受信範囲内で作動可能な中間モニタ部５０内にあってもよい。中間モニタ部は、バルブ５４の状態を変更するためにバルブアクチュエータ５６に送信するように作動可能である。この場合、駆動モジュールまたは比較モジュールまたはその両方もまた、中間モニタ部に収容され、注射器と中間モニタ部５０との間に確立される有線接続や無線接続などの適当なデータリンクを介して状態信号の変更を送信してもよい。
【００５６】
必要であれば、中間モニタ部５０は、注射器とリストバンドの両方をスキャンして一致を確立する場合において、図３に符号５１の点線ブロックで示すような生物測定センサ、光学特性リーダ、バーコードリーダ、磁気片リーダ、またはこれらの組み合わせを含んでもよい。また、中間モニタ部５０は、可視的または不可視的なスペクトルで信号を送信および／または受信する信号送信機および／または信号受信機を含んでもよい。
【００５７】
放出制御手段は、バルブ自体ではなくて、別の方法でバルブを開放させることができるバルブロックであってもよい。この場合、バルブおよびバルブロックは、独立的または従属的に作動する２つの異なる機能を有してもよい。バルブロック自体は、放出装置が使用されるまで、ロック解除位置に固定された状態に保持されことができる機能を有してもよい。使用後は、バルブロックは、例えば針上のＬＵＥＲコネクタが注射器から取り外されたときに、次の使用を阻止するように自動的に構成されてもよい。この場合、バルブは、ＬＵＥＲコネクタと相互に作用しない限り閉鎖状態に保持されるように付勢されてもよい。
【００５８】
また、バルブロックのための制御機能は、（注射器のような）放出手段自体または（リストバンドのような）中間モニタ部のいずれかに配置してもよく、そして、リストバンドがバルブまたはバルブロックを作動させることができるように、有線もしくは無線接続または機械的接続を介してリストバンドおよび注射器を相互作用可能な状態に持って行くことによってバルブに作用するようにしてもよい。さらに、中間モニタ部は、バルブロックコントローラを収容してもよく、リストバンドとその近傍に配置された適正な注射器とによってバルブロックをロック解除する権限を有して、注射器をロック解除する機能を実行してもよい。
【００５９】
別の実施形態が図４に示される。この場合、物質放出器８０にはバルブ手段８２とリストバンド８４とが設けられている。第１および第２特定手段は、バルブ手段８２およびリストバンド８４にまたはその近傍にそれぞれ設けられた相補的な第１および第２キー構造を含む。第１キー構造は物質放出器８０に配置され、第２キー構造はリストバンド８４に配置されている。これにより、物質放出器８０およびリストバンド８４が互いに接近して位置したとき、第１および第２キー構造が互いに係合して所定の関係を確立する。換言すれば、第１および第２キー構造は、入れ子式、かみ合い、または一致を示す方法の他の係合である。
【００６０】
別の放出装置が図５において符号１００が概略的に示される。放出装置１００は、室部１０２ａを有する放出手段１０２と、１つまたはそれ以上の物質１０６ａあるいは１つまたはそれ以上の物品１０６ｂを放出するための出口１０４とを備える。この場合、バルブユニット１０８ａまたは固定可能な出口封鎖部材１０８ｂである放出制御手段は、出口１０４を介しての物質または物品の通過を制御するように作動可能である。第１特定手段１１０が設けられており、放出手段１０２またはそれによって搬送される物質もしく物品を特定する第１特定データを記録、送信、伝達または関連付けるように作動可能である。許可制御手段１１２は、第１特定データと関連実在物の第２特定データとの間に、対応する所定状態が確立したときに、放出手段の所定状態を確立するように作動可能である。
【００６１】
この場合、第１状態は（注射器が収容状態にあることを意味する）閉鎖または非作動位置であってもよく、第２状態は（第１および第２特定データ間で一致をみたときに起きる）開放または作動位置であってもよい。
【００６２】
この場合、バルブ部材または出口封鎖部材は、通常時閉鎖状態でもよいし、通常時開放状態でもよい。バルブは、可変径孔バルブ部材、比例バルブ部材またはこれらの組み合わせを含む幾つかの異なるタイプのバルブであってもよい。また、バルブはパルス幅変調オンオフバルブであってもよく、一方、封鎖部材は固定可能なキャップ部材などであってもよい。
【００６３】
この場合、関連実在物は、放出受容対象、医療専従者または臨床医であってもよい。放出受容対象は、医学的患者、被験対象、および／または、治療や処置の候補者であってもよい。例えば、放出受容対象は、人間のような哺乳類であってもよい。
【００６４】
物質１０６ａまたは物品１０６ｂは、寿命を延ばしたり、健康を増進したり、病気、状態または滋養を治療したり、身体機能を監視または指摘したり、これらの組み合わせたものであるような利益的特性を有してもよい。例えば、物質または物品は、点滴治療、埋め込み(implantation)、幹細胞治療、腫瘍治療、輸血、および／または、臓器移植などの処置に有効に使用されてもよい。
【００６５】
物質は、固形、液体、気体、またはこれらの組み合わせの形態のものであってもよい。その結果、物質を放出するものとして、注射器、点滴瓶、粉末および／または霧状流体および／または気体を吸入するディスペンサ、移植放出ディスペンサ(implant delivery dispenser)、注射器ポンプ(syringe pump)、挿管チューブ、胃腸供給チューブ(gastrointestinal feeding tube)、または、これらの複数および／または組み合わせ、などの種々の放出手段が考えられる。物品は、物質サンプル、局部テスト、監視または安定装置、信号装置などのペイロード(payload)を受容対象に提供または放出するための、例えばカプセルであってもよい。
【００６６】
１つの例において、第２特定データは受容対象を特定する。例えば、第２特定データは、受容対象によって外部的または内部的に搬送される物品に埋め込まれたり、前記物品によって伝達されたり放射されてもよい。必要であれば、物品は、受容対象の足、腕または首に着けられるバンドまたはリングを含み、埋め込み可能なＩＤチップを含む。
【００６７】
１つの例において、放出手段は、図６に示すように、胴部１２４内に配置されたプランジャ部１２２を有する注射器１２０を含む。ここにおいて、放出制御手段は、プランジャ部の位置を固定する固定手段１２６を含む。この場合、放出制御手段は、符号１２８で示す胴部内または符号１３０で示すその下流側に配置されたバルブ手段を含んでもよい。あるいは、放出制御手段は、胴部またはその下流側に配置された封鎖部材１３２を含む。
【００６８】
図７を参照すると、放出手段は、放出部１３６に接続された通路１３４と、放出部１３８に配置されたバルブ手段および／または封鎖手段とを含んでもよい。図８，９は、ここに説明される放出装置に適用可能な別の例としてのバイアル１４０と点滴袋１４２を示す。
【００６９】
図１０ないし２１は、さらに別の実施形態を示す。これらは全て注射器と特定バンドの使用に関するものである。この場合、許可制御手段は、第２特定データに関するキー部を含む。このキー部は特定バンドに配置されている。
【００７０】
図１０ないし１２は、注射器１４０とリストバンド１４２を有する装置を示す。リストバンド１４２は、注射器受け入れキャビティ１４６から上方に延びる柱状のキー部１４４４を有する。キー部は、注射器１４０のキー受け入れ通路１４８ａの形態をなす相補的なキー受け入れ部に係合するようになっている。
【００７１】
図１３，１４において符号１５０で示す別の装置は、注射器１５２とリストバンド１５４を有する。この場合、許可制御手段は、リストバンド１５６に配置され、キー受け入れ部に対してキー部を露出するように作動可能になっている。キー部は、物品に対して固定されており、許可制御手段は、キー潜伏状態とキー露出状態との間で作動可能なキー被覆部材１５８を含む。あるいは、キー部は、潜伏位置と露出位置との間で移動可能であってもよい。
【００７２】
図１５，１６に符号１６０で示す別の装置は、注射器１６２とリストバンド１６４を有する。この場合、リストバンド１６４は、注射器受け入れキャビティ１７０内から外方に延びる柱１６８の形状をなすキー部１６６を有する。注射器受け入れキャビティ１７０は、図１１に示す注射器受け入れキャビティ１４６の直立方向とは対照的に、リストバンド１６４に対して傾いている。
【００７３】
図１７，１８に符号１８０で示すさらに別の装置は、注射器１８２とリストバンド１８４を有する。この場合、リストバンド１８４は、注射器受け入れ溝１９０の通路をさえぎるように外方に延びる柱１８８を含むキー部１８６を有する。
【００７４】
図１９ないし２１に符号２００で示すまたさらに別の装置は、注射器２０２とリストバンド２０４を有する。この場合、注射器２０２はハウジング２０８と一対の柱２１０を有する。前記一対の柱２１０は、作動可能状態において、ハウジング２０８から外方に延びており、注射器受け入れキャビティ２１４内に配置された対応する一対のキー受け入れ通路２１２に嵌合するようになっている。
【００７５】
必要であれば、上述した装置は、マイクロバルブ、マイクロコントローラ、および、例えば、５５４４１、ミネソタ州、州ハイウェイ５５、１２００１にあるハネウェル社のオーガン・カブス、ジェイ・シュウィッテンバーグ、ボブ・デマース、アーニ・サトラン、アラビンド・パドマナハンおよびクレオ・カブスによる技術紙「ＭＥＭＳに基づく血流のい流れコントローラ」(the technical paper "MEMS-Based Flow Controller for Flow Cytometry", by Eugen Cabuz, Jay Schwichtenberg, Bob DeMers, Ernie Satren, Aravid Padmanabhan, & Cleo Cabuz, of Honeywell Intl. 12001 State Highway 55, Plymouth, MN 55441)に記載されるような頭字語ＭＥＭＳで知られる他の極小構成要素を用いてもよい。なお、前記技術紙の内容全体は、参照によりここに組み込まれている。
【００７６】
本発明は、現時点において好適な実施形態と考えられるものについて説明されてきたが、本発明はそれに限定されるものではない。それとは反対に、本発明は、添付の特許請求の範囲の精神および範囲に含まれる種々の改変および均等な構成を包含することを意図されている。添付の特許請求の範囲は、そのような全ての改変および均等物および機能物を含むように最も広く解釈されるべきである。
【図面の簡単な説明】
【００７７】
【図１】図１は物質放出装置の図面である。
【図２】図１の装置の一部の概略図である。
【図３】別の放出装置の一部概略図である。
【図４】別の放出装置の一部概略図である。
【図５】別の放出装置の図面である。
【図６】別の放出装置の図面である。
【図７】別の放出装置の図面である。
【図８】別の放出装置の図面である。
【図９】別の放出装置の図面である。
【図１０】別の放出装置の図面である。
【図１１】別の放出装置の図面である。
【図１２】別の放出装置の図面である。
【図１３】別の放出装置の図面である。
【図１４】別の放出装置の図面である。
【図１５】別の放出装置の図面である。
【図１６】別の放出装置の図面である。
【図１７】別の放出装置の図面である。
【図１８】別の放出装置の図面である。
【図１９】別の放出装置の図面である。
【図２０】別の放出装置の図面である。
【図２１】別の放出装置の図面である。
【符号の説明】
【００７８】
１０…物質放出装置
１２…物質放出器または注射器
１４…物質収容部
１６…物質放出出口通路部
１８…バルブ手段
１８ａ…バルブハウジング
２０…出口通路
２２…針
２２ａ…カップリング
２４…リストバンド
３０…バルブコントローラ
３１…マイクロバルブ
３２…駆動モジュール
３４…比較モジュール
３６…高周波ＩＤタグまたはチップ
３８…高周波送受信器
４０…メモリモジュール
４２…電源部
【図１】
2006524069.tif 000003
【図２】
2006524069.tif 000004
【図３】
2006524069.tif 000005
【図４】
2006524069.tif 000006
【図５】
2006524069.tif 000007
【図６】
2006524069.tif 000008
【図７】
2006524069.tif 000009
【図８】
2006524069.tif 000010
【図９】
2006524069.tif 000011
【図１０】
2006524069.tif 000012
【図１１】
2006524069.tif 000013
【図１２】
2006524069.tif 000014
【図１３】
2006524069.tif 000015
【図１４】
2006524069.tif 000016
【図１５】
2006524069.tif 000017
【図１６】
2006524069.tif 000018
【図１７】
2006524069.tif 000019
【図１８】
2006524069.tif 000020
【図１９】
2006524069.tif 000021
【図２０】
2006524069.tif 000022
【図２１】
2006524069.tif 000023
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
１つまたはそれ以上の物質を放出するための出口を有する放出手段と、
前記出口を介しての前記物質の通過を制御する放出制御手段と、
前記放出手段またはこれによって搬送される前記物質に関連する第１特定データを有し、データ記録モードまたはデータ送信モードで作動可能な第１特定手段と、
前記放出手段に関連する実在物に関する第２特定データを有し、データ記録モードまたはデータ送信モードで作動可能な第２特定手段と、
前記第１特定データと前記第２特定データとの間で、対応する所定の関係が確立されたときに、前記放出制御手段の所定状態を確立するように作動可能な許可制御手段と、を備えた放出装置。
【請求項２】
前記実在物は、放出受容対象、医療専従者または臨床医であることを特徴とする請求項１に記載の放出装置。
【請求項３】
前記実在物は放出受容対象であり、前記第２特定データは、前記受容対象によって外部的または内部的に搬送される物品に埋め込まれるか、あるいは、前記物品によって伝達または送信されることを特徴とする請求項２に記載の放出装置。
【請求項４】
前記放出制御手段は、前記出口での出入りを制御する出入り手段を含むことを特徴とする請求項１ないし３のいずれかに記載の放出装置。
【請求項５】
前記出入り手段は、バルブ手段、出口封鎖部材、またはその両方を含むことを特徴とする請求項４に記載の放出装置。
【請求項６】
前記バルブ手段または前記出口封鎖部材は、開放位置と閉鎖位置との間で作動可能であり、通常は閉鎖状態にあることを特徴とする請求項５に記載の放出装置。
【請求項７】
前記出入り手段は、可変径孔バルブ部材、制御バルブ部材、比例バルブ部材、またはこれらの組み合わせであることを特徴とする請求項５または６に記載の放出装置。
【請求項８】
前記バルブ手段は、パルス幅変調オンオフバルブであることを特徴とする請求項４ないし７のいずれかに記載の放出装置。
【請求項９】
前記出入り手段は、固定可能なキャップ部材からなる出口封鎖部材を含むことを特徴とする請求項５に記載の放出装置。
【請求項１０】
前記第１または第２特定手段、あるいはその両方は、前記第１特定データまたは前記第２特定データを電子的、図画的、機械的または原子的に保持するように構成されていることを特徴とする請求項１に記載の放出装置。
【請求項１１】
前記第１または第２特定手段、あるいはその両方は、前記第１特定データまたは前記第２特定データを搬送波で伝達するように作動可能であることを特徴とする請求項１０に記載の放出装置。
【請求項１２】
前記搬送波は、高周波、マイクロ波、あるいは、他の周波数または周波数帯の波または信号であることを特徴とする請求項１１に記載の放出装置。
【請求項１３】
前記第１特定データまたは前記第２特定データは、周波数変調、振幅変調、波重畳またはこれらの組み合わせによって前記搬送波に内在されていることを特徴とする請求項１１または１２に記載の放出装置。
【請求項１４】
前記許可制御手段は、前記第１特定手段と前記第２特定手段とを比較する比較手段を含むことを特徴とする請求項１ないし１３のいずれかに記載の放出装置。
【請求項１５】
前記比較手段は、前記放出手段、前記実在物またはその両方から高周波ＩＤ信号を受信して解読するように作動可能であることを特徴とする請求項１４に記載の放出装置。
【請求項１６】
前記第１特定手段は、生物測定センサ、光学特性リーダ、磁気片リーダ、高周波ＩＤリーダ、またはこれらの組み合わせを含むことを特徴とする請求項１ないし１５のいずれかに記載の放出装置。
【請求項１７】
前記第１特定手段は、可視的または不可視的スペクトルで信号を送信および／または受信する信号送信機および／または信号受信器を含むことを特徴とする請求項１ないし１５のいずれかに記載の放出装置。
【請求項１８】
前記物品は、前記受容対象の足、腕または首に着けられるバンドまたはリングを含むことを特徴とする請求項３ないし１７のいずれかに記載の放出装置。
【請求項１９】
前記物品は、前記第２特定データに関連する高周波ＩＤタグのようなＩＤチップを含むことを特徴とする請求項１８に記載の放出装置。
【請求項２０】
前記出入り手段はバルブ手段であり、前記第１特定手段は前記バルブ手段を特定するバルブ特定データを含み、前記第２特定手段は前記バルブ手段に関連する物品を特定する物品特定データを含み、前記比較手段は、前記バルブ特定データと前記物品特定データとが一致したときに、前記出口を開放するように作動可能であることを特徴とする請求項１４ないし１９のいずれかに記載の放出装置。
【請求項２１】
前記比較手段は、前記バルブ特定データと前記物品特定データとが不一致であるときには、前記出口を封鎖するために前記バルブ手段を閉じるように作動可能であることを特徴とする請求項２０に記載の放出装置。
【請求項２２】
前記比較手段は、前記バルブ手段、前記封鎖部材および前記物品の信号受信範囲内で作動可能な中間コントローラモジュール内にあることを特徴とする請求項２０または２１に記載の放出装置。
【請求項２３】
前記比較手段は、前記放出手段と一体に構成されていることを特徴とする請求項２２に記載の放出装置。
【請求項２４】
前記出入り手段は、電源部から給電されるバルブ要素を含むバルブ手段であることを特徴とする請求項５ないし２３のいずれかに記載の放出装置。
【請求項２５】
前記電源部は、前記電源部内にある電源、外部電源への伝導パス、外部から適用される放射に応答する誘電発電モジュール、またはこれらの組み合わせを含むことを特徴とする請求項２４に記載の放出装置。
【請求項２６】
前記電源部は、前記放出手段と一体に構成されていることを特徴とする請求項２５に記載の放出装置。
【請求項２７】
前記電源部は誘導発電モジュールであり、前記外部から適用される放射はマイクロ波または高周波の周波数帯のものであることを特徴とする請求項２５または２６に記載の放出装置。
【請求項２８】
前記許可制御手段は、前記第２特定データに関連するキー部を含むことを特徴とする請求項１ないし８のいずれかに記載の放出装置。
【請求項２９】
前記キー部は、前記実在物によって外部的または内部的に搬送される物品に配置されていることを特徴とする請求項２８に記載の放出装置。
【請求項３０】
前記キー部は、所定状態を確立するために相補的なキー受け入れ部を係合するように作動可能であることを特徴とする請求項２８または２９に記載の放出装置。
【請求項３１】
前記キー受け入れ部は前記放出手段に配置されていることを特徴とする請求項３０に記載の放出装置。
【請求項３２】
前記キー受け入れ部はキー受け入れ通路を含むことを特徴とする請求項３０または３１に記載の放出装置。
【請求項３３】
前記許可制御手段は、前記キー受け入れ部に対して前記キー部を露出するように作動可能であることを特徴とする請求項２８ないし３２のいずれかに記載の放出装置。
【請求項３４】
前記キー部は潜伏位置と露出位置との間で移動可能であることを特徴とする請求項３３に記載の放出装置。
【請求項３５】
前記キー部は前記物品に固定され、前記許可制御手段は、キー潜伏状態とキー露出状態との間で作動可能なキー被覆部材をさらに有することを特徴とする請求項２８ないし３４のいずれかに記載の放出装置。
【請求項３６】
前記第１および第２特定手段は、前記バルブ手段および前記関連物品に、またはその近傍にそれぞれ配置された相補的な第１および第２キー構造を含むことを特徴とする請求項３ないし３５のいずれかに記載の放出装置。
【請求項３７】
前記第１キー構造は前記放出手段に配置され、前記第２キー構造は前記関連物品に配置され、これにより前記放出手段と前記関連物品は、前記第１および第２キー構造が互いに相補的に係合して所定の関係を確立するように配置され得ることを特徴とする請求項３６に記載の放出装置。
【請求項３８】
前記放出手段は、注射手段、点滴瓶、粉末および／または霧状流体および／または気体の吸入ディスペンサ、インプラントデリバリディスペンサ、ベンチレータ、シリンジポンプ、挿管チューブ、胃腸供給チューブ、あるいは、これらの複数および／または組み合わせを含むことを特徴とする請求項１ないし３７のいずれかに記載の放出装置。
【請求項３９】
前記放出手段は、胴部、室部、前記胴部内に配置されるプランジャ部、および、前記プランジャ部の位置を固定する固定手段を含む搭載放出制御手段を有する注射器であることを特徴とする請求項３８に記載の放出装置。
【請求項４０】
前記注射器は、前記室部の下流側にあって前記室部に対して着脱可能なバルブ部を有し、前記許可制御手段は、前記第１特定データと前記第２特定データとを比較する比較手段を含み、前記比較手段は前記バルブ部に配置されていることを特徴とする請求項３９に記載の放出装置。
【請求項４１】
前記搭載放出制御手段は、前記胴部またはその下流側に配置された搭載バルブ手段を得含むことを特徴とする請求項３９または４０に記載の放出装置。
【請求項４２】
前記搭載放出制御手段は、前記胴部またはその下流側に配置された搭載封鎖部材を含むことを特徴とする請求項３９ないし４１のいずれかに記載の放出装置。
【請求項４３】
前記出口はプランジャ収容室部の下流側にあり、前記バルブ手段は前記出口に対して着脱可能なバルブハウジングをさらに有することを特徴とする請求項３９に記載の放出装置。
【請求項４４】
前記実在物は、医学的患者、被験者、および／または、治療や処理の候補者から選択される放出受容対象であることを特徴とする請求項１ないし４３のいずれかに記載の放出装置。
【請求項４５】
前記放出受容対象は哺乳類であることを特徴とする請求項４４に記載の放出装置。
【請求項４６】
前記放出受容対象は人間であることを特徴とする請求項４５に記載の放出装置。
【請求項４７】
前記物質は、寿命を延ばす、健康を増進する、病気、状態および滋養を治療および／または処置する、身体機能を監視および／または指摘する、あるいは、これらの組み合わせたものである利益的特性を有することを特徴とする請求項１ないし４６のいずれかに記載の放出装置。
【請求項４８】
前記物質は、点滴治療、インプラント、幹細胞治療、腫瘍治療、輸血および／または臓器移植に有効であることを特徴とする請求項１ないし４７のいずれかに記載の放出装置。
【手続補正２】
【補正対象書類名】明細書
【補正対象項目名】０００５
【補正方法】変更
【補正の内容】
【０００５】
態様の１つとして、本発明は、
１つまたはそれ以上の物質を放出するための出口を有する放出手段と、
前記出口を介しての前記物質の通過を制御する放出制御手段と、
前記放出手段またはこれによって搬送される物質に関連する第１特定データを有し、データ記録モードまたはデータ送信モードで作動可能な第１特定手段と、
前記放出手段に関連する実在物(entity)に関する第２特定データを有し、データ記録モードまたはデータ送信モードで作動可能な第２特定手段と、
前記第１特定データと前記第２特定データとの間で、対応する所定の関係が確立されたときに、前記放出制御手段の所定状態を確立するように作動可能な許可制御手段と、を備える放出装置を提供する。
【国際調査報告】
2006524069.tif 000024
2006524069.tif 000025
2006524069.tif 000026